(57)【要約】      （修正有）【課題】商品の大きさ形状に関係なく多くの種類の商品に共通して同一のカバーを用い得るとともに、カバーを介して商品に直接触れることが可能である商品販売パッケージを提供する。【解決手段】カバー５を透明な合成樹脂製フィルムよりなる袋とすることにより、袋に商品を入れてフィルムを商品に密封させ台紙１に保持したもので、袋の大きさを適宜な大きさにすることにより、商品の形状、大きさに関係なくパッケージを形成でき、販売時に購入する者がフィルムを介して商品に直接触れることができるようにした。【選択図】図１
0003164017.tif 000002
【実用新案登録請求の範囲】
【請求項１】
台紙と、合成樹脂製で透明なフィルムにて形成されたカバーとよりなり、前記カバーに販売すべき商品を入れた上でカバーを商品に密着させたものを前記台紙の表面に保持した商品販売用パッケージ。
【請求項２】
前記カバーが透明な熱収縮性合成樹脂製フィルムよりなり、販売すべき商品を前記カバーに入れて熱を加えることによりカバーを商品に密着させた請求項１の商品販売用パッケージ。
【請求項３】
前記台紙に上下二つの保持片を設け、前記商品を入れたカバーを前記上下の保持片にて保持するようにした請求項１、２又は３の商品販売用パッケージ。
【請求項４】
前記の台紙に設けられた上下の保持片が、Ｔの字状をなす請求項３の商品販売用パッケージ。
【考案の詳細な説明】
【技術分野】
【０００１】
本考案は、例えばチューブ入り化粧品等を販売する際に用いるパッケージに関するものである。
【背景技術】
【０００２】
従来知られている商品販売用パッケージの一例を示すと、図３に示す通りである。この図３において、（Ａ）は平面図、（Ｂ）は側面図［図（Ａ）を左側より見た図］、（Ｃ）は底面図［図（Ａ）を下方より見た図］である。これら図において、１１は厚紙等にて形成されている台紙で、上部に保持孔１２を有する。又、１６は透明な合成樹脂にて形成されたカバーで中央下部に商品が挿入される凹部１７［図（Ａ）にて前方に突出する部分］を有する。このような構成のパッケージを用いカバー１６の凹部１７内に販売すべき商品を入れて、台紙１１とカバー１６とを重ね合わせる。
【０００３】
ここで、カバー１６の両サイド１８、１９を折り返して（台紙１１の裏側に折り返して）台紙１１とカバー１６とを商品を挿入した上で、商品が出ないように一体化する。このようにして、商品が外部（表面）より見得る状態にて商品を入れた商品販売用パッケージとする。その上で、上部保持孔１２（カバー１６にも台紙１１と同じ位置に保持孔が形成されている）を利用して掛け、陳列して商品を販売する。
【０００４】
ここで、商品を購入する者は、内部に入った商品を確認した上でパッケージごと取り外して購入して持ち帰る。
【０００５】
このような従来使用されている商品販売用パッケージは、一般に商品を収納するための凹部１７が、商品の大きさ形状に合わせた大きさ形状をしている。仮にこの凹部１７が商品より小さいと商品を収納できず、又大きすぎると収納した商品の安定した保持ができない。そのため、図３に示す従来の商品販売用パッケージは、その凹部を販売する商品に合わせた大きさ、形状にする必要がある。したがって、パッケージは商品の大きさ、種類に応じてその数だけの異なる種類を作成しなければならない。又、商品の形状、大きさに変更がある時も、変更した商品の種類に合わせて作成し直さなければならない。又、販売する商品の変更特に突然の変更等のときは、従来使用していたパッケージは不要になり、数多くのパッケージが不要になり廃棄することになる。
【０００６】
以上の理由から、図３に示すような従来の商品販売用パッケージは、コスト面において好ましくなく、又無駄になることが多い等の欠点を有する。
【考案の概要】
【考案が解決しようとする課題】
【０００７】
本考案は、商品の大きさ形状に関係なく多くの種類の商品に共通して同一のカバーを用い得るとともに、カバーを介して商品に直接触れることが可能である商品販売用パッケージを提供するものである。
【課題を解決するための手段】
【０００８】
本考案の商品販売用パッケージは、台紙と商品収納用カバーとよりなり、台紙にはカバーを保持するための保持片を設け、カバーは透明な合成樹脂製のフィルムよりなる袋状をなし、袋状のフィルム内に販売する商品を挿入した上で保持片を利用して台紙に保持すると共にカバーを商品に密着するようにしたものである。
【０００９】
本考案の商品販売用パッケージにおいて、袋状フィルムを形成する材料として、熱収縮性合成樹脂を用いれば、カバーに商品を挿入した上で加熱することにより、フィルムを収縮させてカバーを商品に密着させることができるため、パッケージ作成のためには好ましい。
【００１０】
又、本考案は、台紙に設けられた保持片を利用して商品を挿入したカバーを台紙に取り付けると共に、台紙、カバー、商品を一体に組み合わせた状態にした上で全体を加熱することにより熱収縮性合成樹脂フィルムよりなるカバーのみを収縮させてカバーと共に商品を台紙に保持した状態にてカバーを商品に密着させるようにした。
【考案の効果】
【００１１】
本考案は、カバーとして透明なフィルムよりなる袋状のカバーを用いたことにより、フィルムよりなる袋状のカバーを商品を挿入した上で台紙に保持し、フィルムを商品に密着させたもので、カバーは商品を覆う大きさであれば、大きさ形状を特定することなしにほとんどの商品保持に用いることが可能であり、コスト面にても有利であると共に無駄に破棄することがない等の効果を有する。また、フィルムが商品に密着しているため、フィルムを介して商品に直接触れることができ、商品の形状を確認し得る効果もある。
【００１２】
又、カバーとして熱収縮性合成樹脂製フィルムを用いれば、袋状カバーに商品を収納して台紙に保持した上で加熱して熱収縮性合成樹脂フィルムを収縮させて商品にカバーを密着させることが可能であり、そのため台紙に商品を収納させたカバーを保持して一体に組み合わせた状態の多数のパッケージを一度に加熱又は加熱室内を順次移動させることにより、各パッケージのカバーを商品を入れた状態にて収縮密着させ得るので、パッケージの作成が容易である等の効果も有する。
【図面の簡単な説明】
【００１３】
【図１】本考案の実施例であるパッケージの台紙にカバーを取り付けた状態を示す図
【図２】本考案の実施例であるパッケージの台紙へのカバーを取り付ける際の説明図
【図３】従来のパッケージを示す図
【考案を実施するための形態】
【００１４】
本考案の実施の形態を図示する実施例をもとに説明する。
【実施例１】
【００１５】
本考案の商品販売用パッケージの実施例は、図１、図２に示す通りである。これら図のうち、図１は、台紙にカバーを組み合わせた状態を示し、図２はこのパッケージを組み合わせる手段を説明するための図である。
【００１６】
これら図において、１は台紙で２は保持孔、３は上側の保持片で、台紙１を図示するような形状に切り欠いて形成されている。４は下側の保持片で台紙１の下辺より外に（下方に）伸びる構成で、保持片３と同一形状である。５はカバーで、この実施例では透明な合成樹脂フィルムよりなり、図示するような表面、裏面同一長方形状をなす袋状のもので、表裏の両フィルムが図の左右の辺にて一体に接続されており、両フィルム間を開くことにより、上方又は下方が開かれ、商品をカバー５内に挿入することが可能になっている。したがって、図２に示すカバー５を開いて商品を入れた上で、図２の左側に示す台紙１の上におき、上方の保持片３にてカバー５の上辺を挟み、保持片４を折り曲げてカバーの下辺を挟んで、商品を入れた状態にてカバーを台紙に取り付ける。この状態にてカバーを形成するフィルムを商品に密着させる。つまり、商品の表面にフィルム面が密着するようにする。このように、商品の形状に応じて商品表面の形状にほぼ沿った状態にてフィルムが商品に密着するようにする。このような構成の本考案の商品販売用パッケージは、前述のようにパッケージごと商品を販売することが可能になる。
【００１７】
ここで、カバー５に用いるフィルム材料として、熱収縮性合成樹脂を用いれば、カバー５に商品を挿入した上で図１に示す位置にカバー５を置き、台紙１の保持片３、４にてカバーを挟んで保持した上でパッケージに熱を加えることにより、フィルムを収縮させて商品に密着させることが可能になる。したがって、カバーに商品を入れて台紙に取り付けたものを多数加熱するための室内に入れた上で加熱することにより、一度に多数のパッケージを作成し得る。
【００１８】
又、上記のような台紙に商品を入れたカバーを図１に示すように取り付けたものを順次加熱室を通過させることにより、連続して本考案のパッケージを作成するようにしてもよい。
【００１９】
この実施例のパッケージは、保持片３、４がほぼＴ字状の形状をしているが、カバー５を保持し得るものであればどのような形状でもよい。
【００２０】
しかし、図示するようなＴ字状にすれば、先端部分３ａ，３ｂ，４ａ，４ｂが他の部分よりも広くなっているため、カバーの保持が確実になる。
【００２１】
特に、カバーを形成するフィルムの材料を熱収縮性合成樹脂を使用し、加熱することによりフィルムを商品に密着させる場合、フィルムの収縮により、カバーの上下の辺（開口部分５ａ，５ｂ）が、夫々下方および上方にずれることにより、保持片によるカバーの保持が不確実なものとなるおそれがあるが、保持片３、４を図示するようなＴ字状とした場合、広がった部分３ａ，３ｂ，４ａ，４ｂにより確実に保持されることとなり好ましい。
【００２２】
又、フィルムの上、下辺が若干移動しても、３ａ，３ｂ，４ａ，４ｂの部分により保持し得るため望ましい。
【産業上の利用可能性】
【００２３】
本考案の商品販売用パッケージは、商品販売時に商品を保持して、購入者がパッケージごと商品を持ち帰るようにしたもので、カバーが商品に密着しているため、このカバーを介して直接商品に触れることが可能であり、購入者が商品を直接確認し得る等の利点がある。
【符号の説明】
【００２４】
１    台紙
２    保持孔
３、４    保持片
５    カバー
【図１】
0003164017.tif 000003
【図２】
0003164017.tif 000004
【図３】
0003164017.tif 000005